(57)【要約】      （修正有）【課題】茶湯の浸出時間が長くなりすぎることを避け、また茶の淹れの利便性を向上する給茶機を提供する。【解決手段】浸出容器１と定時弁装置３とタイマー４と給茶機置き台５とを含む給茶機を提供する。浸出容器１は、定時弁装置３上に固定され、茶湯を浸出するために用いられる。定時弁装置３は、給茶機置き台５に設けられ、且つ閉位置と開位置の間に切り替えることができる。タイマー４は、浸出時間を設定することができ、設定した浸出時間が終了した時、タイマー４が定時弁装置３を開位置に切り替えて、茶湯が浸出容器１から弁口を経由して給茶機置き台５に置いている容器内に流れ込まれることができる。給茶機を通じて、利用者は茶葉の浸出時間が長くなると茶湯が濃くなり過ぎて飲めなくなる状況を避け、茶淹れの利便性を向上できる。【選択図】図１
0003199077.tif 000002
【実用新案登録請求の範囲】
【請求項１】
第１端と第２端と内部空間とを備え、前記第１端が開放端で、且つ前記第２端に貫通孔を設ける浸出容器と、
前記浸出容器の内部空間に収容され、且つ前記貫通孔をマスキングする茶濾器と、
凹溝を有し、前記凹溝内に前記貫通孔と対応する弁口を設ける筐体と、前記弁口部に置かれて前記弁口を塞ぐための磁性弁体と、前記筐体内に設けられ、電源とモータとスライドレールとラックと磁石とを含み、前記ラックは滑動できるようにスライドレール上に設けられ、前記磁石が前記ラックの一端に固定され、前記電源が前記モータと電気的に接続し、且つ前記モータの駆動側にある歯車が前記ラックと噛合する作動機構とを備え、前記浸出容器の前記第２端と連接する定時弁装置と、
前記筐体内に設けられ、時間を設定するために用いられ、且つ前記時間通り前記作動機構の前記モータを制御して前記磁石を開位置と閉位置の間に移動させるタイマーと、
を含む給茶機において、
前記タイマーにより前記作動機構を制御して前記磁石を開位置まで移動させた時、前記磁石が前記弁口脇に位置することで、前記磁性弁体を吸引して前記弁口から離れ、前記作動機構が前記磁石を閉位置まで移動させた時、前記磁石が前記弁口及び前記凹溝から離れ、これを介して前記磁性弁体を前記磁石の吸着力から離脱させ、且つ前記弁口部に復帰して前記弁口を塞ぐことができることを特徴とする給茶機。
【請求項２】
給茶機置き台を更に含み、前記給茶機置き台は、連接端と複数の支柱と台座とを備え、前記定時弁装置を固定するため、前記連接端は前記支柱を通じて前記台座から一定の高さまで離れた位置に固定され、且つ前記連接端上に前記弁口と対応する置き台貫通孔を設けることを特徴とする請求項１に記載の給茶機。
【請求項３】
前記給茶機置き台の台座上に受け皿を設けることを特徴とする請求項２に記載の給茶機。
【請求項４】
前記定時弁装置は、止め板を更に含み、前記止め板が前記凹溝上に設られることを特徴とする請求項１に記載の給茶機。
【請求項５】
前記タイマーは、制御盤と回路基板とを含み、前記制御盤が筐体の一表面上に設けられ、前記回路基板が前記筐体内に固定されることを特徴とする請求項１に記載の給茶機。
【請求項６】
前記茶濾器は、
前記浸出容器の貫通孔に対応する形状を有する茶濾器受け枠と、
前記茶濾器受け枠の外周面上に嵌設され、前記浸出容器の貫通孔と締まりばめにするためのパッキンと、
その上に複数の濾過貫通孔が設けられる漉し網と、
前記漉し網を挿通して前記茶濾器受け枠上に固定される握り部と、
を更に含むことを特徴とする請求項１に記載の給茶機。
【請求項７】
前記浸出容器の前記第２端に連接部を設け、前記連接部の外周面上に連接構造を設け、前記定時弁装置の前記凹溝の内周面上の固定構造に合わせて前記浸出容器を前記定時弁装置上に固定するために用いられることを特徴とする請求項１に記載の給茶機。
【請求項８】
前記浸出容器に蓋体を更に含み、前記浸出容器の開放端を覆うために用られることを特徴とする請求項１に記載の給茶機。 
【考案の詳細な説明】
【技術分野】
【０００１】
本考案は、浸出用の器具に関し、特に、最適な浸出時間を設定でき、且つ時間になった時、浸出した茶湯を自動的に流出させることのできる給茶機に関する。
【背景技術】
【０００２】
従来の急須及び茶器は、一般的に熱湯を茶葉に注いだ後、手動方式或いは別途タイマーを通じて茶の淹れる時間に注意し、茶葉の浸出時間が長くなると茶湯が濃くなり過ぎて飲めなくなる状況を避ける。しかしながら、異なる茶葉では必要な浸出時間も異なり、且つ同じ茶葉を各煎ごとに必要な時間も異なるため、利用者本人が時間に留意することだけに依存する方式は、茶湯が濃くなり過ぎる状況が起きやすい。またタイマーの助けを通じたとしても、手動方式で茶湯を急須或いはコップ内に入れて人に飲まさせるため、多くの不便があった。
【考案の概要】
【考案が解決しようとする課題】
【０００３】
上述の理由に基づき、本考案の目的は、タイマーで最適な浸出時間を設定でき、且つ時間になった時弁を開いて浸出した茶湯を自動的に流出させることで、茶湯の浸出時間が長くなりすぎることを避け、また茶の淹れの利便性を向上する給茶機を提供することにある。
【課題を解決するための手段】
【０００４】
前記目的を達するため、本考案が提供する給茶機は、第１端と第２端と内部空間とを備え、該第１端が開放端で、且つ該第２端に貫通孔を設ける浸出容器と、浸出容器の内部空間に収容され、且つ貫通孔をマスキングする茶濾器と、凹溝を有し、該凹溝内に該貫通孔と対応する弁口を設ける筐体と弁口部に置かれて弁口を塞ぐための磁性弁体と筐体内に設けられ、電源とモータとスライドレールとラックと磁石とを含み、該ラックは滑動できるようにスライドレール上に設けられ、磁石がラックの一端に固定され、電源がモータと電気的に接続し、且つモータの駆動側にある歯車がラックと噛合する作動機構とを備え、該浸出容器の第２端と連接する定時弁装置と、筐体内に設けられ、時間を設定するために用いられ、且つ時間通り作動機構のモータを制御して磁石を開位置と閉位置の間に移動させるタイマーと、を含む。タイマーにより作動機構を制御して磁石を開位置まで移動させた時、磁石が弁口脇に位置することで、磁性弁体を吸引して弁口から離れる。作動機構が磁石を閉位置まで移動させた時、磁石が弁口及び凹溝から離れ、これを介して磁性弁体を磁石の吸着力から離脱させ、且つ弁口部に復帰して弁口を塞ぐことができる。
【０００５】
本考案の一実施例によれば、給茶機は給茶機置き台を更に含む。前記給茶機置き台は、連接端と複数の支柱と台座とを備える。定時弁装置を固定するため、前記連接端は、それら支柱を通じて台座から一定の高さまで離れた位置に固定され、且つ連接端上に弁口と対応する置き台貫通孔を設ける。これ以外に、給茶機置き台の台座上に受け皿を設ける。
【０００６】
本考案の一実施例によれば、定時弁装置は止め板を更に含み、前記止め板が凹溝上に設られることで凹溝を覆う。
【０００７】
本考案の一実施例によれば、タイマーは、制御盤と回路基板とを含む。前記制御盤は、筐体の一表面上に設けられ、回路基板が筐体内に固定される。
【０００８】
本考案の一実施例によれば、前記茶濾器は、茶濾器受け枠とパッキンと漉し網と握り部とを含む。前記茶濾器受け枠は、浸出容器の貫通孔に対応する形状を有する。前記パッキンは茶濾器受け枠の外周面上に嵌設され、浸出容器の貫通孔と締まりばめにするために用いられる。前記漉し網上には複数の濾過貫通孔が設けられる。前記握り部は、漉し網をを挿通して茶濾器受け枠上に固定される。
【０００９】
本考案の一実施例によれば、前記浸出容器の第２端に連接部を設け、連接部の外周面上に連接構造を設け、定時弁装置の凹溝の内周面上の固定構造に合わせて浸出容器を定時弁装置上に固定するために用いられる。
【００１０】
本考案の一実施例によれば、前記浸出容器に蓋体を更に含み、浸出容器の開放端を覆うために用いられる。
【図面の簡単な説明】
【００１１】
【図１】本考案の好ましい実施例に係る給茶機を示す立体図である。
【図２】本考案の好ましい実施例に係る給茶機を示す立体分解図である。
【図３】本考案の好ましい実施例に係る定時弁装置を示す立体図である。
【図４】本考案の好ましい実施例に係る浸出容器、定時弁装置及び給茶機置き台を示す側面断面図である。
【図５】本考案の好ましい実施例に係る定時弁装置が閉位置時にある時の上面模式図である。
【図６】本考案の好ましい実施例に係る定時弁装置が開位置時にある時の上面模式図である。
【考案を実施するための形態】
【００１２】
以下、当業者が本明細書を閲覧した後これをもって実施させることができるため、図面及び構成要素符号を組み合わせて本考案の実施形態について更に詳細に説明する。
【００１３】
図１は、本考案の好ましい実施例に係る給茶機を示す立体図で、図２が本考案の好ましい実施例に係る給茶機を示す立体分解図である。図１及び図２に示すように、本考案に係る給茶機は、浸出容器１と茶濾器２と定時弁装置３とタイマー４と給茶機置き台５とを含む。以下、図面を参照して各構成要素の構造を説明する。
【００１４】
前記浸出容器１は、茶葉を浸出するための容器で、第１端１１と第２端１２と内部空間１３とを備える。前記第１端１１は、開放端で、利用者が第１端１１を経由して浸出対象となる茶葉を浸出容器の内部空間１３内に入れることができ、第２端１２に貫通孔１２０（図４）を設ける。このほかに、本考案の好ましい実施例において、浸出容器１は、浸出容器１の第１端１１を覆う蓋体１４と容器側辺に設けられて利用者が容器を握るための取っ手１５を更に含む。
【００１５】
前記茶濾器２は、浸出容器１の内部空間１３内に収容され、且つ貫通孔１２０をマスキングする。本考案の好ましい実施例において、茶濾器２は、茶濾器受け枠２１とパッキン２２と漉し網２３と握り部２４とを含む。前記茶濾器受け枠２１は、浸出容器１の貫通孔１２０に対応する形状を有し、且つその中に複数の互いに連接するリブ２１１を有する。前記パッキン２２は、茶濾器受け枠２１の一外周面上に嵌設される。前記漉し網２３上に複数の濾過貫通孔２３０を設け、且つこれらの濾過貫通孔２３０が漉し網２３上に分布する形状は茶濾器受け枠２１上のリブ２１１の形状に対応する。前記握り部２４は、漉し網２３を挿通した後螺合方式を通じて茶濾器受け枠２１のリブ２１１上に着脱可能に固定され、これを介して茶濾器２を構成する。
【００１６】
前記定時弁装置３は、浸出容器１の第２端１２に連接され、利用者が設定した時間通り浸出容器１内の茶湯の流動を制御できる。図３は、定時弁装置３を示す立体図である。図１乃至図３に示すように、本考案の好ましい実施例において、定時弁装置３は、主に筐体３１と磁性弁体３４と止め板３５と作動機構とを含む。筐体３１は、筐体本体３１１と上部カバー３１２と下部カバー３１３とを組み立ててなり、且つ上部カバー３１２上に凹溝３１４を設ける。上部カバー３１２の凹溝３１４と筐体本体３１１と下部カバー３１３の上に互いに対応するホールを各々設け、筐体３１に浸出容器１の貫通孔１２０と対応する弁口３１０を持たせる。前記磁性弁体３４は、鉄球で、弁口３１０部に設けられて弁口３１０を塞ぐために用いられる。前記止め板３５は、凹溝３１４上に設けられることで凹溝３１４を覆い、且つ磁性弁体３４が凹溝３１４から抜け落ちることを防止する。
【００１７】
本考案の好ましい実施例において、作動機構は、筐体３１内に設ける電源３６１とモータ３６２とスライドレール３６３とラック３６４と磁石３６５とを含む。電源３６１は、一般的な乾電池で、図３に示す電池用電槽内に固定され、且つ下部カバー３１３で覆われる。電源３６１は、モータ３６２と電気的に接続する。スライドレール３６３は、弁口３１０の一側に設けられ、ラック３６４が滑動できるようにスライドレール３６３上に設けられる。ラック３６４の一端に磁石３６５を固定する。モータ３６２は、弁口３１０脇のスライドレール３６３と同じ側にに設けられ、その駆動側上に歯車３６２１を設け、ラック３６４と噛合することでラック３６４及び磁石３６５を連動して移動させる。
【００１８】
図１乃至図３に示すように、前記タイマー４は、制御盤４１と回路基板４２とを含む。前記制御盤４１は、筐体３１の上部カバー３１２の一表面上に設けられ、回路基板４２が筐体内に固定される。
【００１９】
給茶機置き台５は、定時弁装置３と浸出容器１を置くための置き台である。前記給茶機置き台５は、連接端５１と２本の支柱５２と台座５３とを含む。前記連接端５１は、これらの支柱５２を通じて台座５３から一定の高さまで離れた位置に固定されることで、定時弁装置３を固定する。連接端５１上に弁口３１０と対応する置き台貫通孔５１０を設ける。このほかに、給茶機置き台５の台座５３上に受け皿５３１を設ける。
【００２０】
上記構造及び配置する各構成要素を有すると、本考案に係る給茶機として組み立てることができる。以下、図４を参照して構成要素の組み立てを説明する。図４に示すように、茶濾器２の茶濾器受け枠２１は、浸出容器１の貫通孔１２０の中に置かれた後、利用者が握り部２４を握って茶濾器２を下方に押圧し、これを介して茶濾器受け枠２１の外周面上に嵌設されるパッキン２２を通じて茶濾器２と浸出容器１の貫通孔１２０と締まりばめにさせる。浸出容器１の内部空間内に置かれる茶濾器２は、漉し網２３を通じて茶葉等の浸出物の残渣が貫通孔１２０から流れ出すことを防止できる。
【００２１】
浸出容器１の第２端１２は、定時弁装置３の凹溝３１４内に着脱可能に固定されることで、浸出容器１が不注意でぶつからせて倒れる状況の発生を防止する。図４に示すように、浸出容器１の第２端１２に連接部１２１を設け、連接部１２１の外周面上に連接構造１２２を設けて定時弁装置３の凹溝３１４の内周面上の固定構造３１５に合わせて浸出容器を定時弁装置３上に固定するために用いられる。本考案の好ましい実施例において、連接構造１２２及び固定構造３１５は、各々雄ねじ及び雌ねじとする。上記方式によって組み立てた浸出容器１、茶濾器２及び定時弁装置３は、図４に示すように給茶機置き台５上に置かれて利用者に使用させる。
【００２２】
本考案に係る給茶機は、タイマー４を通じて最適な浸出時間を設定でき、且つ定時弁装置３を通じて茶湯の流動を制御でき、これを介して茶葉の浸出時間が長くなりすぎて茶湯が苦くなることを避け、また同時にお茶浸出の利便性を向上する。本考案の給茶機で茶湯を浸出する時、まず茶葉等の浸出物を浸出容器１の第１端１１から内部空間１３内に入れた後、そして熱湯を浸出容器１内に注ぐ。次に、利用者は浸出した茶湯を受ける容器を給茶機置き台５の台座５３上に置き、且つ筐体３１表面上にある制御盤４１を通じて手動又は自動的に時間を設定する。こうすると、定時弁装置３の弁開閉機構を通じて、浸出した茶湯が時間になった時、自動的に浸出容器１から弁口３１０を経由して受ける容器内に流れ込み、利用者が浸出した茶湯を飲むことができる。以下、図５及び図６を参照して定時弁装置３の弁開閉機構を説明する。
【００２３】
定時弁装置３は、利用者が設定した時間通り磁性弁体を開位置及び閉位置の間に移動できる。図５は、定時弁装置３が閉位置にある時の上面模式図である。図５に示すように、磁性弁体３４を通じて茶湯を浸出容器内に止めるため、定時弁装置３の磁性弁体３４が平素閉位置にあることで、磁性弁体３４を通じて弁口３１０を塞ぐ。閉位置にある時、図５に示すように、ラック３６４上に固定される磁石３６５は弁口３１０及び凹溝３１４から離れた位置にある。
【００２４】
利用者が設定した時間になった時、タイマー４は定時弁装置３を図６に示す開位置に切り替える。つまり、定時弁装置３は、作動機構のモータ３６２回転を駆動してモータ駆動側の歯車３６２１によってラック３６４を連動して移動し、これを介して磁石３６５を弁口３１０脇に移動させる。磁石３６５が弁口３１０脇にある時、磁石３６５が磁性弁体３４を吸引して弁口３１０から離れることで、茶湯が浸出容器１から弁口３１０を経由して受ける容器内に流れ込ませることができる。茶湯が流れて切った時、作動機構のモータ３６２は逆方向に歯車３６２１回転を駆動して磁石３６５を図５に示す弁口３１０及び凹溝３１４から離れた位置に移動させる。こうすると、磁性弁体３４は凹溝３１４の内壁によって磁石３４の吸着力から離脱して図５に示す閉位置に復帰する。浸出を終えた後、利用者は浸出容器１を定時弁装置３上から取り外して茶葉等の浸出物の残渣を直接捨てることができる。
【００２５】
上記の内容によれば、本考案に係る好ましい実施例の給茶機は、定時弁装置３の機能を利用して茶湯が設定した所要時間経った後、自動的に浸出容器内から受ける容器内に流れ込まれ、利用者が茶の淹れる時間に気を使う必要がなく、茶葉の浸出時間が長くなると茶湯が濃くなり過ぎて飲めなくなる状況を避け、茶の淹れ利便性を向上できる。
【符号の説明】
【００２６】
１    浸出容器
１１    第１端
１２    第２端
１２０    貫通孔
１２１    連接部
１２２    連接構造
１３    内部空間
１４    蓋体
１５    取っ手
２    茶濾器
２１    茶濾器受け枠
２１１    リブ
２２    パッキン
２３    漉し網
２３０    濾過貫通孔
２４    握り部
３    定時弁装置
３１    筐体
３１０    弁口
３１１    筐体本体
３１２    上部カバー
３１３    下部カバー
３１４    凹溝
３１５    固定構造
３４    磁性弁体
３５    止め板
３６１    電源
３６２    モータ
３６２１    歯車
３６３    スライドレール
３６４    ラック
３６５    磁石
４    タイマー
４１    制御盤
４２    回路基板
５    給茶機置き台
５１    連接端
５１０    置き台貫通孔
５２    支柱
５３    台座
５３１    受け皿
【図１】
0003199077.tif 000003
【図２】
0003199077.tif 000004
【図３】
0003199077.tif 000005
【図４】
0003199077.tif 000006
【図５】
0003199077.tif 000007
【図６】
0003199077.tif 000008